(57)【要約】      （修正有）【課題】反転した容器の蓋部から内溶液の全量を排出可能な拭き取り検査用キットを提供する。【解決手段】容器本体１０と、容器本体１０に収納される綿棒軸７を固設し、かつ容器本体１０に脱着可能に装着される蓋部２０とを含む拭き取り検査用キット１００であって、蓋部２０は、容器本体１０への装着部２１と、装着部２１に連設され、容器本体１０の外方に垂設される中空突出部２５と、中空突出部２５の中空部の開口端２３ｂを密封する切り取り切片２７とからなり、綿棒軸７は、中空部に挿入して固設され、中空部の内壁および／または綿棒軸７の外壁は、中空部に綿棒軸７を挿入した際に中空部の全長に亘って連通する間隙２４を形成する。【選択図】図４
2020159695.tif 000002
【特許請求の範囲】
【請求項１】
容器本体と、前記容器本体に収納される綿棒軸を固設し、かつ前記容器本体に脱着可能に装着される蓋部とを含む拭き取り検査用キットであって、
前記蓋部は、前記容器本体への装着部と、前記装着部に連設され、前記容器本体の外方に垂設される中空突出部と、前記中空突出部の中空部の開口端を密封する切り取り切片とからなり、
前記綿棒軸は、前記中空部に挿入して固設され、
前記中空部の内壁および／または前記綿棒軸の外壁は、前記中空部に前記綿棒軸を挿入した際に前記中空部の全長に亘って連通する間隙を形成するものであることを特徴とする、拭き取り検査用キット。
【請求項２】
前記中空部は、前記中空突出部の開口端から前記切り取り切片に向かって断面積Ｓ１の中空部Ｔ１と断面積Ｓ２の中空部Ｔ２とで構成され、前記断面積Ｓ１＞前記断面積Ｓ２であることを特徴とする、請求項１記載の拭き取り検査用キット。
【請求項３】
前記綿棒軸は、軸の長手方向に形成された複数の凸状部を有し、
前記綿棒軸が挿入される前記中空部Ｔ１および／または前記中空部Ｔ２は断面視多形であることを特徴とする、請求項２記載の拭き取り検査用キット。
【請求項４】
前記綿棒軸が挿入される前記中空部Ｔ１および／または前記中空部Ｔ２は、断面視円形または角が丸く成形された方形であることを特徴とする、請求項２記載の拭き取り検査用キット。
【請求項５】
前記中空突出部は、外周に、折り曲げ切片を嵌合できる凹部が形成されることを特徴とする、請求項１〜４のいずれかに記載の拭き取り検査用キット。
【請求項６】
前記蓋部は、前記切り取り切片の外周に、コンタミ防止用突起を有することを特徴とする、請求項１〜５のいずれかに記載の拭き取り検査用キット。
【請求項７】
前記容器本体の底面部は、前記容器本体の外方に延設される翼が形成された平板であり、自立可能であることを特徴とする、請求項１〜６のいずれかに記載の拭き取り検査用キット。
【発明の詳細な説明】
【技術分野】
【０００１】
本発明は、清浄度検査等に使用でき、反転した容器の蓋部から内溶液の全量を排出可能な拭き取り検査用キットに関する。
【背景技術】
【０００２】
従来から、手指や機材、食品加工施設、医療施設などの清浄を評価するために清浄度検査が行われ、評価方法の一つとして拭取り培養法がある。拭き取り培養法に使用する器具として、容器本体に、拭き取りに使用する綿棒が固定されたキャップを装着するものがある（特許文献１、特許文献２、特許文献３、特許文献４、特許文献５）。予め容器本体に希釈液が収納され、綿棒で被検体の表面を拭き取った後に容器に密封して希釈液を撹拌すると、検体が希釈液中に均一に撹拌された検体液を調製することができる。
【０００３】
大腸菌や大腸菌群等の菌数を測定するには、検体液をフィルム培地や寒天培地などで培養する。ピペットを使用せずに検体液を取り出すため、反転した容器の蓋部から検体液を排出させる拭き取り検査用の器具もある（特許文献６、特許文献７、特許文献８）。例えば、特許文献６の拭き取り検査用キットでは、図７に示すように、キャップ２０が、螺条を形成した外壁部２２とこれに連続する頂壁部２３と、前記頂壁部２３を被覆する上蓋２５とで構成されている。前記頂壁部２３の中央に、下方に突出する中空筒状部２４が形成され、中空筒状部２４の両端が開口している。綿棒軸４は、中空筒状部２４に挿入により固定される。中空筒状部２４の内周側には、軸方向に延長する複数の突条２７が形成されており、挿入された綿棒軸４と突条２７との間に形成された空隙が連通路３０となる。容器を反転してキャップ２０を下方に向けると、容器内の検体液が、連通路３０から開口を経て容器外に排出される仕組みとなっている。
【０００４】
一方、微生物の検出および同定法として、ＲＴ−ＰＣＲ法やリアルタイムＲＴ−ＰＣＲ法などの遺伝子検出法が普及しつつある。例えば、急性胃腸炎の主要な原因体としてノロウイルス等がある。ウイルスは、大腸菌などの細菌と相違して組織培養法で分離・検出することができないため、細菌培養に代えてウイルス遺伝子の検出を行っている。ウイルスの毒性に鑑みて、調製した検査液をピペットなどの器具を使用せず、反転した容器の蓋部から検体液を取り出せるものが好適である。
【先行技術文献】
【特許文献】
【０００５】
【特許文献１】特開平１０−２２９８７１号公報
【特許文献２】特開２００８−３２５４１号公報
【特許文献３】特開２００８−１０１９７１号公報
【特許文献４】特開２０１１−０６９７７８号公報
【特許文献５】特開２０１６−７０８２０号公報
【特許文献６】特開２００３−３４４２３２号公報
【特許文献７】特開２０１３−１０８８０３号公報
【特許文献８】特開２０１６−０５０９１１号公報
【発明の概要】
【発明が解決しようとする課題】
【０００６】
微生物培養に使用される従来の拭き取り検査用器具は、通常１０ｍｌの希釈液が収納される（特許文献６）。微生物培養に使用される検査液が１ｍｌであり、検査結果の正確を期すためデュープリケートで行い、容器に残存する検査液を保存すること、および検体液の調製の容易さなどを勘案し１０ｍｌ程度が好ましい。一方、遺伝子検出法は、検体から抽出した核酸を材料として特定の遺伝子配列だけを増やす核酸増幅法であり、微生物培養と相違して短時間で結果が得られる特徴がある。ＰＣＲ法の検体採取に従来の拭き取り検査用キットを使用すると、検体液に含まれる核酸量が不足し、迅速な検査が困難な場合がある。
【０００７】
また、検体濃度を１０倍にするため、収納する希釈液量を１／１０、例えば１ｍｌに低減すると、蓋部から検体液が排出されないという問題が生じる。例えば、図７に示すキャップ２０では、容器を反転すると、頂壁部２３を底部とし、螺条を形成した外壁部２２を外周とする空間に検体液が移動する。頂壁部２３の直径は約２０ｍｍであり、中空筒状部２４の直径は約６ｍｍであるから、１ｍｌの検体液の深さは約３．５ｍｍ程度となる。中空筒状部２４は、綿棒軸４を固定するために頂壁部２３から５〜１０ｍｍ程度の長さで垂下しているため、検体液は中空筒状部２４内の連通路３０に導入できず、開口から容器外に排出させることができない。
【０００８】
中空筒状部２４は、綿棒軸４を固定するものであり、安定した固定のために所定の長さを必要とする。したがって、従来のキャップ構造では、キャップの径を小型化しても希釈液が残留し、収納した希釈液の全量を排出させることができない。
【０００９】
上記現状に鑑み、本発明は、内容量が少量であっても、容器を反転させて蓋部から内容量の全量を排出させることができる拭き取り検査用キットを提供することを目的とする。
【課題を解決するための手段】
【００１０】
本発明者らは、拭き取り検査用キットについて詳細に検討した結果、蓋部を、容器本体への装着部と、容器本体の外方に垂設される中空突出部と、この中空突出部の一方の開口端を密封する切り取り切片とで構成すると、綿棒軸を中空突出部の中空部に挿入して安定に固定できること、中空部と綿棒軸との接触部に間隙を形成すれば中空部内に流通路を形成できること、切り取り切片を除去することで、容器本体の検体液の全量を前記流通路を経て開口端から排出できることを見出し、本発明を完成させた。
【００１１】
すなわち、本発明は、容器本体と、前記容器本体に収納される綿棒軸を固設し、かつ前記容器本体に脱着可能に装着される蓋部とを含む拭き取り検査用キットであって、
前記蓋部は、前記容器本体への装着部と、前記装着部に連設され、前記容器本体の外方に垂設される中空突出部と、前記中空突出部の中空部の開口端を密封する切り取り切片とからなり、
前記綿棒軸は、前記中空部に挿入して固設され、
前記中空部の内壁および／または前記綿棒軸の外壁は、前記中空部に前記綿棒軸を挿入した際に前記中空部の全長に亘って連通する間隙を形成するものであることを特徴とする、拭き取り検査用キットを提供するものである。
【００１２】
また本発明は、前記中空部は、前記中空突出部の開口端から前記切り取り切片に向かって断面積Ｓ１の中空部Ｔ１と断面積Ｓ２の中空部Ｔ２とで構成され、前記断面積Ｓ１＞前記断面積Ｓ２であることを特徴とする、前記拭き取り検査用キットを提供するものである。
【００１３】
また本発明は、前記綿棒軸は、軸の長手方向に形成された複数の凸状部を有し、
前記綿棒軸が挿入される前記中空部Ｔ１および／または前記中空部Ｔ２は断面視多形であることを特徴とする、前記拭き取り検査用キットを提供するものである。
【００１４】
また本発明は、前記綿棒軸が挿入される前記中空部Ｔ１および／または前記中空部Ｔ２は、断面視円形または角が丸く成形された方形であることを特徴とする、前記拭き取り検査用キットを提供するものである。
【００１５】
また本発明は、前記中空突出部は、外周に、折り曲げ切片を嵌合できる凹部が形成されることを特徴とする、前記拭き取り検査用キットを提供するものである。
【００１６】
また本発明は、前記蓋部は、前記切り取り切片の外周に、コンタミ防止用突起を有することを特徴とする、前記拭き取り検査用キットを提供するものである。
【００１７】
また、前記容器本体の底面部は、前記容器本体の外方に延設される翼が形成された平板であり、自立可能であることを特徴とする、前記拭き取り検査用キットを提供するものである。
【発明の効果】
【００１８】
本発明の拭き取り検査用キットは、容器を反転すると蓋部から検体液の全量を排出させることができる。
【図面の簡単な説明】
【００１９】
【図１】図１（Ａ）は、本発明の拭き取り検査用キットの正面図であり、図１（Ｂ）は、側面図であり、図１（Ｃ）は、縦断斜視面図である。
【図２】図２（Ａ）は、拭き取り検査用キットを構成する容器本体と蓋部の正面図であり、図２（Ｂ）は、これらの縦断面図である。
【図３】図３（Ａ）は、蓋部を説明する図であり、図３（Ｂ）は蓋部の底面図であり、図３（Ｃ）および図３（Ｄ）は、中空部と綿棒軸との関係を説明する図である。また、図３（Ｅ）は、切り取り切片を除去した後に拭き取り検査用キットを反転し、検体液が流出できることを説明する図であり、図３（Ｆ）は、切り取り切片を除去した後の蓋部の平面図である。
【図４】図４（Ａ）は、拭き取り検査用キットを構成する容器本体と蓋部の側面図であり、図４（Ｂ）は綿棒軸を固定した蓋部と容器本体の縦断面図であり、図４（Ｃ）は、希釈液を収納した拭き取り検査用キットの縦断面図である。
【図５】図５は、蓋部の斜視図である。
【図６】図６（Ａ）は、拭き取り検査用キットの正面図であり、図６（Ｂ）は側面図であり、図６（Ｃ）は、蓋部の凹部に他の拭き取り検査用キットの切り取り切片を挿入した状態を説明する図である。
【図７】図７は、従来の拭き取り検査用キットの蓋部の一例を説明する図である。
【発明を実施するための形態】
【００２０】
本発明は、容器本体と、前記容器本体に収納される綿棒軸を固設し、かつ前記容器本体に脱着可能に装着される蓋部とを含む拭き取り検査用キットであって、
前記蓋部は、前記容器本体への装着部と、前記装着部に連設され、前記容器本体の外方に垂設される中空突出部と、前記中空突出部の中空部の開口端を密封する切り取り切片とからなり、
前記綿棒軸は、前記中空部に挿入して固設され、
前記中空部の内壁および／または前記綿棒軸の外壁は、前記中空部に前記綿棒軸を挿入した際に前記中空部の全長に亘って連通する間隙を形成するものであることを特徴とする、拭き取り検査用キットである。以下、図面を参照して本発明を詳細に説明する。
【００２１】
本発明の拭き取り検査用キットの好適な実施態様の一例として、容器本体１０に、蓋部２０が脱着可能に装着された拭き取り検査用キット１００の正面図を図１（Ａ）に、側面図を図１（Ｂ）に示す。容器本体１０は、正面よりも側面がやや幅狭く構成された横断面視略楕円の筒状である。容器本体１０の開口部１に蓋部２０の装着部２１を嵌着すると容器本体１０に蓋部２０を装着することができる。蓋部２０は、容器本体１０の外方に垂設される中空突出部２５と切り取り切片２７とを装着部２１と一体に有する。図１（Ｃ）は拭き取り検査用キット１００の縦断面斜視図である。蓋部２０の中空突出部２５には、容器本体１０と連通する中空部２３が形成され、中空部２３には、拭き取り部８を有する綿棒軸７が挿入されている。なお、中空部２３の他端は、切り取り切片２７によって密封されている。
【００２２】
容器本体１０の素材は、高密度ポリエチレン、低密度ポリエチレン等の圧縮変形可能な軟質材料である。また、蓋部は、ＡＢＳ、ＰＳ、ＰＰ等が好適である。
【００２３】
本発明で使用する蓋部２０は、装着部２１と中空突出部２５と切り取り切片２７とが一体に形成されたことを特徴とする。図２（Ａ）に容器本体１０および蓋部２０の正面図を、図２（Ｂ）にこれらの縦断面図を示す。装着部２１の形状は、容器本体１０の開口部１の形状に対応して適宜選択することができる。図２（Ａ）に示す容器本体１０の開口部１は筒状であるため、蓋部２０の装着部２１も前記筒状に嵌着できる筒状となっている。しかしながら、本発明ではこれに限定されず、例えば開口部１の外周に螺条を形成した場合には、装着部２１にもこれに対応する螺条を形成するものであってもよい。開口部１と装着部２１とを螺着させ、蓋部２０を容器本体１０に装着することができ、および螺条を逆方向に回転することで蓋部２０を離脱することができる。なお、中空突出部２５は、中空部２３が装着部２１より容器本体１０の外方に形成されることを条件に、装着部２１との結合部より容器本体１０側に向かう部分を有していてもよい。例えば、図２（Ｂ）に、中空突出部２５の一部として、装着部２１と平行する軒部２２が形成される態様を示す。軒部２２により、開口部１と装着部２１との嵌着部から物質が混入するのを回避することができる。なお、図２（Ａ）の符号２８ａは、軽量化を目的として削られた軽量化用凹部である。
【００２４】
図２（Ｂ）に示すように、中空突出部２５には、容器本体１０側の開口２３ａから切り取り切片２７側の端部２３ｂに連通する中空部２３が形成され、開口２３ａは解放端であり容器本体１０と連通する。中空部２３は、綿棒軸７を固定する機能と、容器本体１０の検体液を蓋部２０から排出させるための流通路を形成する機能とを有する。開口２３ａから図示しない綿棒軸７を挿入すると、綿棒軸７を蓋部２０に固定することができる。したがって、中空部２３の長さは綿棒軸７を安定して固定できる長さとする。なお、端部２３ｂは切り取り切片２７で密封されている。
【００２５】
中空部２３は、全長にわたり同径であってもよいが、図３（Ａ）に示すように、断面積の異なる中空部２３Ｔ１と中空部２３Ｔ２とで構成されるものであってもよい。例えば、中空部２３Ｔ１の断面積をＳ１、中空部２３Ｔ２の断面積をＳ２とした場合に断面積Ｓ１＞断面積Ｓ２となるように設計すると、異なる太さや形状の綿棒軸７を中空部２３で固設することができる。この際、中空部２３Ｔ１および中空部２３Ｔ２の長さは、それぞれ、綿棒軸７を安定して固定できる長さとする。
【００２６】
中空部２３の内壁と綿棒軸７の外壁は、中空部２３に綿棒軸７を挿入した際に中空部２３の全長を連通する間隙２４が形成されることを要する。この間隙２４が検体液の流通路となる。図３（Ｂ）に蓋部２０の底面図の一例を示す。この蓋部２０は、中央に方形の中空部２３Ｔ２と、中空部２３Ｔ２の外周に、角が丸く成形された方形の中空部２３Ｔ１とが形成される態様となっている。図３（Ｃ）に中空部２３Ｔ２に固定する円柱状の綿棒軸７の横断面図を、図３（Ｄ）に中空部２３Ｔ１に固定する軸の長手方向の４か所に凹部７ａを形成した多形の綿棒軸７の横断面図を示す。図３（Ｄ）に示すように、角が丸く成形された方形の中空部２３Ｔ１に多形の綿棒軸７を挿入すると、綿棒軸７の４つの凹部７ａを中空部２３の全長に亘る間隙２４、すなわち流通路とすることができる。また、中空部２３Ｔ１と綿棒軸７との接触面が大きいため、綿棒軸７を安定して固定することができる。なお、角が丸く成形された方形の中空部２３Ｔ１に円柱状の綿棒軸７（図３（Ｃ）参照）を挿入すれば、前記方形の角部が間隙２４となり、中空部２３の全長に亘る間隙２４を形成することができる。上記は一例である。中空部２３Ｔ１や中空部２３Ｔ２の内壁と綿棒軸７の外周の双方に凹凸加工し、綿棒軸７の固定と間隙２４の形成による流通路の確保とを同時に行う態様等であってもよい。
【００２７】
中空部２３の端部２３ｂは切り取り切片２７で密封されている（図３（Ａ）参照）。切り取り切片２７を把持して応力を負荷すると切り取り切片２７を切り離すことができ、中空部２３Ｔ２の封止端が解放され端部２３ｂが開口する。切り取り切片２７を除去した後に、蓋部２０が下方になるように拭き取り検査用キット１００を反転すると、容器本体１０に収納された希釈液４が、装着部２１と中空突出部２５とによって構成される空間に移動し、中空突出部２５の開口２３ａから中空部２３に導入され、中空部２３に形成された間隙２４を経て開口した端部２３ｂから排出される（図３（Ｅ））。図３（Ｆ）に切り取り切片２７を除去した蓋部２０の平面図を示す。中空突出部２５の中央に端部２３ｂが開口している。
【００２８】
図４（Ａ）に容器本体１０および蓋部２０の側面図を示す。容器本体１０のほぼ中央には容器本体１０の長手方向に延びる楕円形の凹部３が形成され、凹部３には、容器本体１０の幅方向に平行する複数の凸条２が形成され、容器本体１０を容易に押圧できる構成となっている。また、図４（Ｂ）に容器本体１０の縦断面図と、中空部２３Ｔ２に綿棒軸７を挿入した蓋部２０の縦断面図を、図４（Ｃ）に希釈液４を収納した図４（Ｂ）の拭き取り検査用キット１００の縦断面図を示す。綿棒軸７は、中空部２３Ｔ２に挿入して固定されている。拭き取り部８で被検体を拭き取る際に、凹部３を押圧して拭き取り部８に含浸される希釈液４の液量を調整することができる。中空部２３Ｔ２の内壁と綿棒軸７との間に間隙２４が形成され、この間隙２４は開口２３ａから端部２３ｂまで連通している。切り取り切片２７を切り離すと中空部２３Ｔ２の端部２３ｂが開口し、希釈液４の全量を排出することができる。
【００２９】
蓋部２０の中空突出部２５は、中空部２３を有すれば外周の形状に特に限定はない。図５に蓋部２０の一例の斜視図を示す。符号２８ａは軽量化用凹部であり、符号２８ｂは、他の拭き取り検査用キット１００の切り取り切片２７を嵌着して切り取るための嵌着用凹部であり、符号２７ａはコンタミを防止するためのコンタミ防止用突起である。嵌着用凹部２８ｂは、切り取り切片２７近傍から装着部２１近傍に至る略楕円形で構成されることが好ましい。図６（Ａ）に、拭き取り検査用キット１００の正面図、図６（Ｂ）に側面図を示し、図６（Ｃ）に、二つの拭き取り検査用キット１００の蓋部２０どうしを９０度の角度で対抗させ、一方の拭き取り検査用キット１００の嵌着用凹部２８ｂに、他の拭き取り検査用キット１００の切り取り切片２７を挿入した状態を示す。一方の切り取り切片２７を他方の嵌着用凹部２８ｂで固定し折り曲げると、切り取り切片２７を容易に切り離すことができる。嵌着用凹部２８ｂは、このような切り取り切片２７を簡便に切り離すための機構として使用することができる。その際、コンタミ防止用突起２７ａが存在すると、端部２３ｂと切除される切り取り切片２７との間にコンタミ防止用突起２７ａの高さの間隙が形成される。開口された端部２３ｂが他の拭き取り検査用キット１００のいずれの部分とも接触しないため、端部２３ｂから微生物が混入することを防止することができる。
【００３０】
拭き取り検査用キット１００の外形は、例えば図６（Ａ）、（Ｂ）に示すように、容器本体１０は、正面の幅が側面の幅より長く形成され、その横断面は略楕円形である。一方、容器本体の底面部５を楕円に限定せず、容器本体１０から突出する翼６を有する円盤状としてもよい。これにより、底面部５を机上に載置すると、拭き取り検査用キット１００を自立させることができる。
【００３１】
拭き取り検査用キット１００に使用する綿棒は、綿棒軸７が間隙２４を形成できればよく、他の条件は従来公知のものを使用することができる。例えば、材質は、拭き取り時に力を加えても折れにくい可撓性樹脂等を好適に使用する。同様に、拭き取り部８の形状や素材も、拭き取り箇所や検体液の分析方法によって適宜選択することができる。したがって、容器本体１０に収納できることを条件に、形状は、球形でも板状でもよい。また、拭き取り部８の素材は、綿などの天然物の他、ポリエステル、ポリアミドなどの合成樹脂やガラスウールなどであってもよい。これら素材は、繊維状の他、スポンジ状、その他、任意に選択することができる。特に、検体液をＰＣＲ法で分析する場合には、拭取り部８に由来する核酸が含まれていないことが好ましい。拭き取り部８が合成樹脂であれば、熱溶着、合成樹脂系接着剤などを介して綿棒軸７に拭き取り部８を固定することが好ましい。
【００３２】
容器本体１０には、あらかじめ所定量の希釈液４を収容することができる。拭き取り検査用キットの使用目的に応じて希釈液４の種類を選択することができ、例えば、精製水、生理食塩水、リン酸緩衝生理食塩水、緩衝ペプトン水等を例示することができる。希釈液量は、拭き取り検査用キット１００から排出した際の液量が０．５〜３ｍｌとなることが好ましく、より好ましくは１〜２ｍｌである。本発明の拭き取り検査用キット１００は、希釈液４の全量を排出することができるため、希釈液量を少なくして高濃度の検体液を調製することができる。
【００３３】
拭き取り試料としては、食品工場、飲料工場、半導体製造工場、その他の環境中より採取した拭き取り試料の他、拭き取り部８をペットや家畜の飼料、医薬品、土壌、上下水、生体組織、生体排出物に接触して得た試料等であってもよい。
【００３４】
本発明の拭き取り検査用キット１００は、拭き取り試料を使用して、培養法による大腸菌やサルモネラなどの食中毒菌の検出に使用できる。より好ましくは、拭き取り試料からＤＮＡやＲＮＡなどの核酸を抽出し、ポリメラーゼ連鎖反応（ＰＣＲ）により核酸を増幅することを特徴とする、遺伝子検出法による検出である。例えば、ＰＣＲ（Ｐｏｌｙｍｅｒａｓｅ  Ｃｈａｉｎ  Ｒｅａｃｔｉｏｎ）によりノロウイルスやロタウイルスなどに特異な核酸を増幅し、リアルタイムＰＣＲ装置、ＲＴ−ＰＣＲ（Ｒｅｖｅｒｓｅ  Ｔｒａｎｓｃｒｉｐｔｉｏｎ−ＰＣＲ）、ＲＴ−ＬＡＭＰ（Ｒｅｖｅｒｓｅ  Ｔｒａｎｓｃｒｉｐｔｉｏｎ−Ｌｏｏｐ−ｍｅｄｉａｔｅｄ  Ｉｓｏｔｈｅｒｍａｌ  Ａｍｐｌｉｆｉｃａｔｉｏｎ）等の測定器を用いて、食中毒原因ウイルスを検出することができる。また、検出目的のウイルスの抗体を利用した抗原検出法（ELISA法や、BLEIA法、イムノクロマト法）を導入し、免疫学的手法によって食中毒原因ウイルスを検出することもできる。本発明の拭き取り検査用キット１００は、高濃度の検体液を調製できるため、遺伝子検査法や免疫学的手法により、短時間に検出結果を得ることができる。
【００３５】
更に、本発明の拭き取り検査用キット１００は、ＡＴＰ拭き取り検査に使用することもできる。全ての生物にはＡＴＰ（アデノシン三リン酸）が含まれるため、拭き取り試料からＡＴＰを抽出し、所定の試薬で発光させ、その発光量（Ｒｅｌａｔｉｖｅ  Ｌｉｇｈｔ  Ｕｎｉｔ；ＲＬＵ）を測定し、拭き取り面の汚染を評価する方法である。発光量の多寡が拭取り面の生物量と比例するため、発光量をモニタリングして衛生管理を行うことができる。
【００３６】
本発明の拭き取り検査用キット１００の用途は、清浄度検査に限定されるものではない。例えば、拭き取り試料を遺伝子検査法で評価する際に、ＰＣＲで増幅する核酸を小麦、蕎麦、ラッカセイ、エビ、カニなどのアレルギー物質に変更すれば、アレルゲン検査に使用することができる。
【産業上の利用可能性】
【００３７】
本発明の拭き取り検査用キットは、微生物検査を簡便かつ迅速に行えるため、有用である。
【符号の説明】
【００３８】
１・・・開口部、
４・・・希釈液、
５・・・底面部、
７・・・綿棒軸、
８・・・拭き取り部、
１０・・・容器本体、
２０・・・蓋部、
２１・・・装着部、
２３、２３Ｔ１、２３Ｔ２・・・中空部、
２４・・・間隙、
２５・・・中空突出部、
２７・・・切り取り切片、
２７ａ・・・コンタミ防止用突起、
２８ａ・・・軽量化用凹部、
２８ｂ・・・嵌着用凹部、
１００・・・拭き取り検査用キット
【図１】
2020159695.tif 000003
【図２】
2020159695.tif 000004
【図３】
2020159695.tif 000005
【図４】
2020159695.tif 000006
【図５】
2020159695.tif 000007
【図６】
2020159695.tif 000008
【図７】
2020159695.tif 000009